(57)【要約】      （修正有）【課題】揚程現場における油圧ジャッキのみでの単独使用、爪付きジャッキ態様としての使用を選択でき、また、重量的に嵩張っても容易に搬送移動する。【解決手段】油圧ジャッキＪを収納し、載置する収納ボックス２に、油圧ジャッキＪのピストンロッドの昇降動に伴い昇降する爪体１０をスライド自在に連繋したジャッキ台１を形成する。このジャッキ台１には、ジャッキ台１を移動させる搬送ハンドル具２０を着脱自在に連繋する。搬送ハンドル具２０は、搬送ベース２１と、この搬送ベース２１底面に付設したキャスタ２４と、ジャッキ台１に係合連繋させるよう搬送ベース２１に設けた連繋手段２５と、搬送ベース２１に揺動自在に支承し、ジャッキ台１を載置作業面で移動操作させ、また載置作業面から浮かせる移動ハンドル３１とを備える。移動ハンドル３１には固定側壁２２の後縁、上縁に係合するハンドルストッパー４１を設ける。【選択図】図１
2007153598.tif 000002
【特許請求の範囲】
【請求項１】
油圧ジャッキを収納して所定箇所に載置される収納ボックスに、油圧ジャッキのピストンロッドの昇降動に伴い昇降する爪体をスライド自在に連繋したジャッキ台から成ることを特徴とするジャッキ台装置。
【請求項２】
油圧ジャッキを収納して所定箇所に載置される収納ボックスに、油圧ジャッキのピストンロッドの昇降動に伴い昇降する爪体をスライド自在に連繋したジャッキ台と、このジャッキ台に着脱自在に連繋されて、ジャッキ台を移動させる搬送ハンドル具とから成ることを特徴とするジャッキ台装置。
【請求項３】
ジャッキ台は、油圧ジャッキを収納して所定箇所に載置される収納ボックスと、油圧ジャッキのピストンロッドの昇降動に伴い昇降するよう収納ボックスにスライド自在に連繋した爪体とから成り、収納ボックスの外側面には係合ピンを突設してある請求項２に記載のジャッキ台装置。
【請求項４】
爪体は、収納ボックスに対して上下方向にスライドされるスライド部と、被揚程物に対して差し入れられる爪部と、油圧ジャッキのピストンロッドに係合するようスライド部の上部に設けた揚程部と、収納ボックスに対して昇降するよう収納ボックスにスライド自在に連繋させるスライド案内手段とを備えて成る請求項１乃至３のいずれかに記載のジャッキ台装置。
【請求項５】
搬送ハンドル具は、搬送ベースと、この搬送ベース底面に付設したキャスタと、ジャッキ台に係合連繋させるよう搬送ベースに設けた連繋手段と、搬送ベースに揺動自在に支承し、ジャッキ台を載置作業面で移動操作させ、また載置作業面から浮かせる移動ハンドルとを備えて成る請求項２乃至４のいずれかに記載のジャッキ台装置。
【請求項６】
搬送ベースには、左右で相対峙状にして固定側壁を配置固定し、この固定側壁に連繋手段を設け、移動ハンドルを揺動自在に支承した請求項５に記載のジャッキ台装置。
【請求項７】
連繋手段は、ジャッキ台における収納ボックス外側面に突設した係合ピンを固定側壁前縁に形成した位置決め係合溝と共に上下から挟み込み、係合する係合溝を前縁に形成して、固定側壁面に沿って揺動起伏自在に固定側壁に支承される左右の係合板と、この左右の係合板のいずれか一方に固着した揺動操作ハンドルとを備えて成る請求項５または６に記載のジャッキ台装置。
【請求項８】
移動ハンドルは、固定側壁に揺動自在に支承したハンドル本体の下部にハンドルストッパーを設けて成り、このハンドルストッパーは、固定側壁の後縁位置、上縁位置夫々に形成した係合溝に弾発的に着脱自在に係合する係合体を備えている請求項５乃至７のいずれかに記載のジャッキ台装置。
【発明の詳細な説明】
【技術分野】
【０００１】
本発明は、例えば油圧ジャッキにおいて、これを単独で使用することあるいはいわゆる爪付きジャッキとして使用することの選択を可能にし、また重量的に嵩張る油圧ジャッキを簡単に移動可能にしたジャッキ台装置に関する。
【背景技術】
【０００２】
従来から油圧ジャッキは、揚程すべき被揚程物に対する挿入セット、揚程高さの調整変更その他に対応して単独で使用されたり、あるいは爪部を備えたいわゆる爪付きジャッキとして構成することで使用されたりする。爪付きジャッキの例として例えば特許文献１乃至４がある。いずれも油圧ジャッキ本体に、被揚程物底面に差し入れる爪部を有する昇降体を組合せ、油圧ジャッキ本体における昇降するピストンロッドに昇降体を関連付けて使用する。
【特許文献１】実開平５−２２４８１号公報
【特許文献２】特開平９−１６５１９５号公報
【特許文献３】特開２００３−２５９０号公報
【特許文献４】特開２００３−２４６５９３号公報
【発明の開示】
【発明が解決しようとする課題】
【０００３】
これらの従来の爪付きジャッキ構成は、被揚程物自体が相当に重量があるためにそれを揚程するときの安定性が確保されるに足りるよう自身もかなりな重量を備えるものとして構成される必要がある。また揚程作業に際し、油圧ジャッキ単独で使用したり、爪部を備えた構成とする爪付きジャッキとして使用したり等、作業現場の状況に応じてそれらを選択する必要がある。ただ従来の爪付きジャッキとして構成されているものは油圧ジャッキのみを取り外し、これ単独で使用することには対応しておらず、別に用意する必要がある。また油圧ジャッキ自体、爪付きジャッキ自体はいずれも重量的に嵩張るから、例えば据付位置の調整等のための移動を作業者自身が行うには極めて困難であった。
【０００４】
そこで本発明は叙上のような従来存した諸事情に鑑み創出されたもので、その目的は所定の油圧ジャッキのみでの単独使用、爪付きジャッキ態様としての使用のいずれをも現場状況に対応して選択できることにある。また重量的に嵩張る油圧ジャッキ、及びこれを爪付きジャッキとして使用するときに組み合わせるジャッキ台等と共にする搬送移動を容易にすることにある。更に搬送移動しないときの搬送ハンドル具等の収納保管を簡便にするジャッキ台装置を提供することにある。
【課題を解決するための手段】
【０００５】
上述した課題を解決するため、本発明にあっては、油圧ジャッキＪを収納して所定箇所に載置される収納ボックス２に、油圧ジャッキＪのピストンロッドＪ２の昇降動に伴い昇降する爪体１０をスライド自在に連繋したジャッキ台１から成ることを特徴とする。
このジャッキ台１と、このジャッキ台１に着脱自在に連繋されて、ジャッキ台１を移動させる搬送ハンドル具２０とから成ることを特徴とする。
ジャッキ台１は、油圧ジャッキＪを収納して所定箇所に載置される収納ボックス２と、油圧ジャッキＪのピストンロッドＪ２の昇降動に伴い昇降するよう収納ボックス２にスライド自在に連繋した爪体１０とから成り、収納ボックス２の外側面には係合ピン６を突設してある。
爪体１０は、収納ボックス２に対して上下方向にスライドされるスライド部１１と、被揚程物Ｗに対して例えばその底部下面に差し入れられるようスライド部１１の下部に設けた爪部１２と、油圧ジャッキＪのピストンロッドＪ２に係合するようスライド部１１の上部に設けた揚程部１３と、収納ボックス２に対して昇降するよう収納ボックス２にスライド自在に連繋させるスライド案内手段１５とを備えて成る。
搬送ハンドル具２０は、搬送ベース２１と、この搬送ベース２１底面に付設したキャスタ２４と、ジャッキ台１に係合連繋させるよう搬送ベース２１に設けた連繋手段２５と、搬送ベース２１に揺動自在に支承し、ジャッキ台１を載置作業面で移動操作させ、また載置作業面から浮かせる移動ハンドル３１とを備えて成る。
搬送ベース２１には、左右で相対峙状にして固定側壁２２を配置固定し、この固定側壁２２に連繋手段２５を設け、移動ハンドル３１を揺動自在に支承する。
連繋手段２５は、ジャッキ台１における収納ボックス２外側面に突設した係合ピン６を固定側壁２２前縁に形成した位置決め係合溝２２Ａと共に上下から挟み込み、係合する係合溝２７を前縁に形成して、固定側壁２２面に沿って揺動起伏自在に固定側壁２２に支承される左右の係合板２６と、この左右の係合板２６のいずれか一方に固着した揺動操作ハンドル２９とを備えて成る。
移動ハンドル３５は、固定側壁２２に揺動自在に支承したハンドル本体（３５）の下部にハンドルストッパー４１を設けて成り、このハンドルストッパー４１は、固定側壁２２の後縁位置、上縁位置夫々に形成した係合溝４５Ａ，４５Ｂに弾発的に着脱自在に係合する係合体４３を備えている。
【０００６】
以上のように構成された本発明に係るジャッキ台装置にあって、ジャッキ台１の収納ボックス２内への油圧ジャッキＪの収納によって、油圧ジャッキＪを立脚状に保持し、収納ボックス２にスライド自在にして組み合わせた爪体１０によって爪付きジャッキ構成とし、ジャッキ駆動と共に被揚程物Ｗに対して位置決めする爪部１２によって被揚程物Ｗを昇降させる。
油圧ジャッキＪを収納保持したジャッキ台１に連繋手段２５を介して連繋した搬送ハンドル具２０によって、ジャッキ台１と共に油圧ジャッキＪを載置作業面から浮かせた状態とし、そのままで移動させる。搬送ハンドル具２０の操作による移動調整で、揚程すべき被揚程物Ｗに対して油圧ジャッキＪを位置決めさせ、油圧ジャッキＪ自体あるいは爪部１２を被揚程物Ｗの下方に位置決めセットさせる。
連繋手段２５は、揺動操作ハンドル２９の揺動操作で係合板２６を前後に揺動させ、係合溝２７を収納ボックス２の係合ピン６に係合して位置決め係合溝２２Ａと共に係合ピン６を上下から挟み込み、搬送ハンドル具２０をジャッキ台１に一体化させる。
搬送ハンドル具２０の移動ハンドル３５に設けたハンドルストッパー４１は、これの係合体４３を固定側壁２２の後縁位置の係合溝４５Ａに係合位置決めすることで移動ハンドル３５を前傾した傾斜状に保持させる。このときの搬送ハンドル具２０による操作でジャッキ台１自体の被揚程物Ｗに対する位置決め移動を容易にさせる。また係合体４３を固定側壁２２の上縁位置の係合溝４５Ｂに係合位置決めすることで移動ハンドル３５を立脚状に保持させる。このときの搬送ハンドル具２０自体の傾斜で、ジャッキ台１更には油圧ジャッキＪを載置作業面から浮かせた状態とし、作業場所の変更に伴う移動を転動するキャスタ２４によって容易にさせる。
また、油圧ジャッキＪを収納していない収納ボックス２、爪体１０、搬送ハンドル具２０夫々に解体し、油圧ジャッキＪと共に夫々を各別に運搬し、作業現場での適宜な組合せで、油圧ジャッキＪのみの単独使用、収納ボックス２に収納しての立脚状の安定使用、爪付きジャッキ構成としての使用、搬送ハンドル具２０の連繋による移動調整を可能にさせる。
【発明の効果】
【０００７】
本発明は以上のように構成されており、そのため、所定の油圧ジャッキＪのみでの単独使用、ジャッキ台１・爪体１０との組合せによる爪付きジャッキ態様としての使用のいずれをも現場状況に対応して選択できる。また重量的に嵩張る油圧ジャッキＪであっても、これを爪付きジャッキとして使用するときに組み合わせるジャッキ台１に連繋する搬送ハンドル具２０によって容易に搬送移動できる。しかも、搬送移動しないときには不要となる搬送ハンドル具２０は例えば壁面等に立て掛けることによって簡便に収納保管できる。  
【０００８】
すなわちこれは本発明が、油圧ジャッキＪを収納する収納ボックス２に、油圧ジャッキＪのピストンロッドＪ２の昇降動に伴い昇降する爪体１０をスライド自在に連繋して成るジャッキ台１としたからである。これによって、油圧ジャッキＪを使用するときの据付安定性、被揚程物Ｗに対する油圧ジャッキＪによる直接あるいは爪体１０による揚程のいずれかの選択等を可能にする。また、ジャッキ台１に着脱自在に連繋されて、ジャッキ台１を移動させる搬送ハンドル具２０を備えたからである。これによって、被揚程物Ｗにセットするときの油圧ジャッキＪの位置決めのための移動調整、更には作業場所の変更に伴う油圧ジャッキＪの移動等も容易にできる。
【０００９】
また、ジャッキ台１は、油圧ジャッキＪを収納して載置される収納ボックス２に、油圧ジャッキＪのピストンロッドＪ２の昇降動に伴い昇降するよう爪体１０をスライド案内手段１５を介してスライド自在に連繋して成る。そのため、収納ボックス２に収納した油圧ジャッキＪを自立状態とさせて油圧ジャッキＪ単独のみによる揚程使用、更には被揚程物Ｗの低位置に差入れさせる爪体１０による揚程使用のいずれも可能とし、現場における状況に対応できる。
【００１０】
搬送ハンドル具２０は、搬送ベース２１底面に付設のキャスタ２４によって移動自在であり、搬送ベース２１に設けた連繋手段２５によってジャッキ台１と係合連繋させることでジャッキ台１と一体状に組合せでき、移動ハンドル３１の操作で重量的に嵩張る油圧ジャッキＪを収納したジャッキ台１を簡単に移動できる。
【００１１】
連繋手段２５は、収納ボックス２に突設した係合ピン６を位置決め係合溝２２Ａと共に上下から挟み込み、係合する係合溝２７を形成して揺動起伏自在に固定側壁２２に支承される左右の係合板２６を揺動操作ハンドル２９によって揺動させるから、揺動操作ハンドル２９の揺動操作で搬送ハンドル具２０をジャッキ台１に簡単に連繋でき、また分離解体も容易である。しかも収納ボックス２の係合ピン６は、搬送ハンドル具２０における搬送ベース２１に固定配置した固定側壁２２の位置決め係合溝２２Ａと、固定側壁２２に支承された係合板２６の係合溝２７とによって係合されるから、ジャッキ台１と搬送ハンドル具２０とは確実に連繋される。そしてジャッキ台１と連繋させた搬送ハンドル具２０を傾斜させることで、係合ピン６への位置決め係合溝２２Ａの係合支持と相俟ち、ジャッキ台１を傾斜状にして作業面等から浮かせることができ、キャスタ２４によって油圧ジャッキＪ等を円滑に移動できる。
【００１２】
移動ハンドル３５は、固定側壁２２に揺動自在に支承したハンドル本体（３５）の下部に、固定側壁２２の後縁位置、上縁位置夫々に形成した係合溝４５Ａ，４５Ｂに弾発的に着脱自在に係合する係合体４３を備えて成るハンドルストッパー４１を有している。そのため、ハンドルストッパー４１の弾発的なスライドによるいずれかの係合溝４５Ａ，４５Ｂへの係合によって移動ハンドル３５の立脚位置、傾斜位置を選定し、それを維持できる。立脚あるいは傾斜位置が維持された移動ハンドル３５の操作によって、被揚程物Ｗに対するジャッキ台１の位置決めのための移動調整ばかりでなく、ジャッキ台１自体の油圧ジャッキＪと共にする他の作業場所への搬送移動をも容易にする。
【００１３】
尚、上記の課題を解決するための手段、発明の効果の項夫々において付記した符号は、図面中に記載した構成各部を示す部分との参照を容易にするために付した。本発明は、図面中の符号によって示された構造・形状等に限定されない。
【発明を実施するための最良の形態】
【００１４】
以下図面を参照して本発明を実施するための最良の一形態を説明する。図において示される符号１はジャッキ台であり、所定の油圧ジャッキＪと組み合わせられて爪付きジャッキ構成として使用させる。またジャッキ台１に連繋した搬送ハンドル具２０の起伏操作に関連してジャッキ台１を作業面等から浮かし、油圧ジャッキＪをジャッキ台１と共に所定場所に移動させる。尚、油圧ジャッキＪ自体は一般的に提供される所要の仕様を備えたものであり、ジャッキ筐体下部に設けた連結部（プラグ・カプラー）Ｊ１に連結された作動流体供給パイプＰを経て供給される作動流体によってピストンロッドＪ２を昇降させ、被揚程物Ｗを昇降させる。
【００１５】
ジャッキ台１は、油圧ジャッキＪを収納して所定箇所に載置される収納ボックス２と、ピストンロッドＪ２の昇降動に伴い昇降するよう収納ボックス２にスライド自在に連繋した爪体１０とから成る。
【００１６】
収納ボックス２は、作業面・据付面その他の所定箇所に載置されるボックスベース３と、収納する油圧ジャッキＪを囲繞するようボックスベース３上に立脚される平断面で後面開放の溝形枠状を呈する側部カバー壁５とを備える。ボックスベース３は、収納載置させる所定の油圧ジャッキＪを自立的な立脚状に支持するに足りる自重、平面積を備え、側部カバー壁５の外形に比し、前後左右で外側方に張り出している。また、このボックスベース３上の左右側部面にはループ状に形成した取っ手４を付設して収納ボックス２自体の可搬性を配慮してある。一方、側部カバー壁５は作業者によって油圧ジャッキＪを操作するときの作業者位置側である後方が開放されており、油圧ジャッキＪ自体は側部カバー壁５の後方開放部分からあるいは側部カバー壁５の上方からスライド挿入されることで側部カバー壁５内に収納保持される。油圧ジャッキＪの収納保持時の安定性を考慮して、側部カバー壁５内部におけるボックスベース３面上には油圧ジャッキＪ底部と噛み合うようにした凹凸部分を形成しておく。側部カバー壁５の内形は収納保持する油圧ジャッキＪの外形に沿うものとし、図示のように側部カバー壁５内に油圧ジャッキＪがしっくりと収納され、がたつくことがないように配慮する（図６参照）。
【００１７】
また収納ボックス２における側部カバー壁５の両側壁外側面の上下部には、後述する搬送ハンドル具２０を係合連繋させる係合ピン６を突設してある。
【００１８】
尚、図示にあっては側部カバー壁５の後方開放部分縁は底部側に比し上部側を狭幅となし、また側部カバー壁５の平断面でほぼ矩形枠状となしてあるも、いずれもこれに限定されない。図中符号７は皿状の油受け部であり、連結部Ｊ１から漏出することがある作動流体を一時的に貯留すると共に、ボックスベース３後部に形成した保護突部８と相俟ち、側部カバー壁５後方に出張る連結部Ｊ１を保護する。
【００１９】
爪体１０は収納ボックス２対して上下方向にスライド自在に組み合わせられ（図５参照）、スライド部１１、爪部１２、揚程部１３、スライド案内手段１５を備えて成り、被揚程物Ｗの荷重に十分に耐え得る堅牢性、剛性等を備えている。すなわちスライド部１１は収納ボックス２に対して上下方向にスライドされる。爪部１２は被揚程物Ｗに対して例えばその底部下面に差し入れられるようスライド部１１の下部に設けてある。揚程部１３は油圧ジャッキＪのピストンロッドＪ２に係合するようスライド部１１の上部に設けてある。スライド案内手段１５は収納ボックス２に対して昇降するよう収納ボックス２に対してスライド自在に連繋させる。
【００２０】
図示にあってのスライド部１１は、後方開放の平断面でほぼ矩形枠状となしてあり、収納ボックス２と組み合わせられるとき、収納ボックス２における側部カバー壁５の外方に位置してこれを囲繞するようにこの側部カバー壁５と二重枠状となる（図２、図６参照）。また、このスライド部１１における両側壁部分は後方側縁が下向き傾斜状に切欠されていて、収納ボックス２の両側壁外側面に設けられている係合ピン６を外部に露出させている（図５、図６参照）。
【００２１】
スライド案内手段１５は、収納ボックス２における側部カバー壁５前部の外側面と、爪体１０におけるスライド部１１内部の後面との間で噛み合い状に形成されていて、収納ボックス２とは分離・解体されることなく上下方向に爪体１０を昇降させる。具体的には、側部カバー壁５の外側面の上下方向に沿って突状に形成した雄部に、この雄部に係止する溝状の雌部をスライド部１１の外側面の上下方向に沿って形成して成る。図示にあっての係止形態は、雄部の基部部分（雌部の端部部分）に比し端部部分（雌部の基部部分）側が広幅となる蟻溝形としてある（図２、図６参照）。もとより、この蟻溝形に限らず例えば凸部形等の他形状も採用可能である。
【００２２】
爪部１２上面、揚程部１３上面夫々には、筋状の所定幅、所定深さの溝条を形成して滑り止めとしてある。尚、被揚程物Ｗに対して爪部１２による差入れ係止とせずに、油圧ジャッキＪ自体、揚程部１３による被揚程物Ｗ底部への差入れ係止による使用も可能である。また、図示にあっての爪部１２は、これが最低位置にあるとき、収納ボックス２におけるボックスベース３に切欠形成したセット切欠３Ａ内に収容位置決めされ、ジャッキ台１の被揚程物Ｗに対する直近形態のセットを容易にする。
【００２３】
図中符号１６は揚程部１３後縁に設けた取っ手であり、収納ボックス２とは解体分離させた爪体１０を単独で例えば作業者が吊り下げて携帯・持参させる。同じく１７は揚程部１３裏面に設けた位置決め筒部であり、揚程部１３を油圧ジャッキＪにおけるピストンロッドＪ２上部に係合させ、揚程部１３とピストンロッドＪ２とを確実に係合させる。
【００２４】
このように構成したジャッキ台１に連繋される搬送ハンドル具２０によって、油圧ジャッキＪをジャッキ台１と共に移動させる。このための搬送ハンドル具２０は、搬送ベース２１、移動車輪たるキャスタ２４、連繋手段２５、移動ハンドル３１を備えて成り、油圧ジャッキＪを収納保持したジャッキ台１に係合連繋させた状態でキャスタ２４にて移動可能とする。
【００２５】
搬送ベース２１は平面からみてほぼ横長矩形のプレート状で、左右の幅員はジャッキ台１におけるボックスベース３の幅員に比し大きい。この搬送ベース２１には、左右で相対峙状にして固定側壁２２を配置固定し、この固定側壁２２の後部位置の相互間に固定バー２３を横架すると共に、固定側壁２２の下部相互間の搬送ベース２１上面上で例えば角筒パイプ、溝形材等を配装して補強してある。また固定側壁２２の前縁には、ジャッキ台１における収納ボックス２の側壁に設けられている係合ピン６の下縁に位置決めされて係合する位置決め係合溝２２Ａが形成されている。図示にあって、この位置決め係合溝２２Ａは上位置の係合ピン６に対応して１個で設けられるも、下位置の係合ピン６にも対応して計２個にして設けられることもある。この位置決め係合溝２２Ａは固定側壁２２の前縁に前方に突設した突設部分の上縁に切欠状に形成され、後述の係合板２６が前方に揺動されたときの係合溝２７に上下で対向する位置としてある（図３参照）。
【００２６】
キャスタ２４は、搬送ベース２１の左右部下面に付設されており、移動方向が自在な無指向性構成としてある。
【００２７】
連繋手段２５は、搬送ベース２１に対してハンドル操作で揺動自在な係合板２６を収納ボックス２における前記係合ピン６の上縁に着脱自在に係合させる。すなわち、前縁に係合ピン６に係合する係合溝２７を形成して、固定側壁２２面に沿って揺動起伏自在に固定側壁２２に支承される左右の係合板２６と、この左右の係合板２６相互間に横架して固定側壁２２相互間に貫挿した係合固定軸２８と、係合板２６の少なくともいずれか一方に固着した揺動操作ハンドル２９とを備えて成る。係合板２６自体は、係合固定軸２８を中心として揺動し、前方に倒伏したときにはその係合溝２７が係合ピン６に係合し、位置決め係合溝２２Ａと共に上下から挟み込み、搬送ハンドル具２０をジャッキ台１に連繋し、一体化させる。このとき、図１に示すように搬送ハンドル具２０自体の所定角度位置で、位置決め係合溝２２Ａ、係合ピン６によって固定側壁２２でジャッキ台１自体の荷重を支持する。こうすることで載置作業面から僅かに例えば５ｍｍ程度で離反（浮かす）し、揚程すべき被揚程物Ｗに対する位置決めセットを円滑にする。逆に後方に倒伏したときには搬送ハンドル具２０をジャッキ台１から解除し、両者２０，１相互を分離させる。また係合板２６は、ジャッキ台１に対して搬送ハンドル具２０を近接させ、位置決めされた状態で揺動されることによって係合溝２７と係合ピン６との係合を着脱させる。図示にあっての係合溝２７は、係合板２６の前縁に下向きのほぼＪ字状で上下一対にして配装してある（図３参照）。
【００２８】
尚、揺動操作ハンドル２９は固定側壁２２外側面に固着したバネ固定ピン３１との間で連繋したコイル状のスプリング３２によって、係合板２６の係合ピン６に対する係合位置とこれからの解除位置とに一時的に停止するように弾発的に操作される（図１、図３参照）。
【００２９】
移動ハンドル３５は、固定側壁２２に揺動起伏自在に支承され、連繋手段２５によるジャッキ台１との連繋組合せ状態にあるとき、倒伏位置にすることでジャッキ台１の移動による被揚程物Ｗに対するセット位置の位置決め微調整を行わせる（図１参照）。逆に、一旦は立脚位置にすることで強制的な傾斜状態でジャッキ台１を載置作業面から離反し、キャスタ２４にて移動させる（図９参照）。図示にあっての移動ハンドル３５は、これのハンドル本体（３５）は門字形（コ字形）を呈し、左右の固定側壁２２相互間に支承されたハンドル軸３６の両端に固着されている。
【００３０】
そしてハンドル本体（３５）の下部には、下部側に弾発付勢傾向の状態でハンドル本体（３５）に沿って上下にスライドするハンドルストッパー４１を設けてある。このハンドルストッパー４１は、ハンドル本体（３５）の両側ロッド部分に套嵌する筒状のスライド体４２相互間にロッド状の係合体４３を横架し、例えばハンドル軸３６との間に縮小傾向状態で連結したコイル状の牽引スプリング４４によってハンドル本体（３５）下部側に牽引されている。また前記固定側壁２２の後縁位置、上縁位置夫々に係合溝４５Ａ，４５Ｂを切欠状に形成してあって、この係合溝４５Ａ，４５Ｂのいずれかに係合体４３が係合することで移動ハンドル３５を傾斜あるいは立脚位置のいずれかで保持する。移動ハンドル３５の操作は、牽引スプリング４４による弾発力に抗して係合体４３を係合溝４５Ａ，４５Ｂから離脱した状態としておき、立脚位置とするときは係合体４３を上縁位置の係合溝４５Ｂに、逆に傾斜位置とするときは係合体４３を後縁位置の係合溝４５Ａに係合させ、牽引スプリング４４の弾発力でその位置を保持させる（図１、図３参照）。尚、ハンドルストッパー４１自体は図示のように左右対称構造とせずに、ハンドル本体（３５）のいずれか一方のロッド部分のみに設けたり、弾発牽引構成をハンドル本体（３５）のロッド内に内装したり等に変更可能である。
【００３１】
尚、図中符号４６は立掛ストッパーであり、搬送ハンドル具２０を例えば壁面に立て掛けるとき、床面、地面等に接触して滑りを阻止する。そのため、搬送ベース２１の左右に固着したく字形折曲形状の全体でほぼＬ字形を呈するストッパー脚４７の端部にゴムの如き軟弾性の当接脚部４８を固定して成る（図７参照）。
【００３２】
次にこれの使用の一例を説明する。所定の油圧ジャッキＪをジャッキ台１における収納ボックス２内に収納セットすると共に、収納ボックス２に爪体１０をスライド案内手段１５を介してスライド自在に組み合わせる。この状態で被揚程物Ｗ底面に油圧ジャッキＪ自体あるいは爪部１２を位置決めした後、油圧ジャッキＪに作動流体供給パイプＰ、連結部Ｊを経て作動流体を供給することによってピストンロッドＪ２を昇降して被揚程物Ｗを昇降させる。
【００３３】
またジャッキ台１内に油圧ジャッキＪを収納し、作業面等に載置した状態で、搬送ハンドル具２０を持ち来し、連繋手段２５の揺動操作ハンドル２９の操作で係合板２６の係合溝２７をジャッキ台１における収納ボックス２の両側部の係合ピン６に位置決め係合溝２２Ａと共に係合する。一方、移動ハンドル３５をストッパー４１による係合位置決めによって立脚状に保持し、移動ハンドル３５の傾斜によってジャッキ台１を載置作業面から浮かせることで、移動ハンドル３５の牽引等によって載置作業面上で転動するキャスタ２４によって適当な作業場所に移動する。
【００３４】
被揚程物Ｗにセットするには、載置作業面からジャッキ台１を僅かに浮かせた状態で移動ハンドル３５を介しての移動操作で油圧ジャッキＪ自体あるいは爪部１２を被揚程物Ｗ底面に位置決めする。次いで油圧ジャッキＪに作動流体を供給し、被揚程物Ｗを昇降することで所要の揚程作業を行う。
【００３５】
すなわち搬送ハンドル具２０によっての移動調整によって被揚程物Ｗ底面に位置決めセットし、また搬送ハンドル具２０を取り外しあるいは連繋したままでの爪体１０との組合せで爪付きジャッキ構成として使用する。また場合によってはジャッキ台１、爪体１０から取り外して油圧ジャッキＪ単独でも使用可能にする。必要に応じ、ジャッキ台１、爪体１０、搬送ハンドル具２０夫々に分解し、単独の油圧ジャッキＪと共に夫々を作業現場に搬入し、組み合わせて使用し、また撤去する。
【００３６】
また搬送ハンドル具２０は、これを使用しないときにはジャッキ台１から取り外し、移動ハンドル３５を係合溝４５Ａに係合した状態で立掛ストッパー４６を床面、地面等に当接させると共に壁面に立て掛けて保管しておく。
【図面の簡単な説明】
【００３７】
【図１】本発明を実施するための最良の形態における側面図である。
【図２】同じく平面図である。
【図３】同じくジャッキ台に取り付け、連繋する搬送ハンドル具の側面図である。
【図４】同じく搬送ハンドル具の平面図である。
【図５】同じくジャッキ台の一部切欠側面図である。
【図６】同じくジャッキ台の一部切欠平面図である。
【図７】同じくジャッキ台の正面図である。
【図８】同じく搬送ハンドル具を壁等に立て掛けたときの側面図である。
【図９】同じく搬送ハンドル具によって移動しているときの側面図である。
【符号の説明】
【００３８】
Ｊ…油圧ジャッキ                        Ｊ１…連結部
Ｊ２…ピストンロッド                    Ｐ…作動流体供給パイプ
Ｗ…被揚程物
１…ジャッキ台                          ２…収納ボックス
３…ボックスベース                      ３Ａ…セット切欠
４…取っ手                              ５…側部カバー壁
６…係合ピン                            ７…油受け部
８…保護突部
１０…爪体                              １１…スライド部
１２…爪部                              １３…揚程部
１５…スライド案内手段                  １６…取っ手
１７…位置決め筒部
２０…搬送ハンドル具                    ２１…搬送ベース
２２…固定側壁                          ２２Ａ…位置決め係合溝
２３…固定バー                          ２４…キャスタ
２５…連繋手段                          ２６…係合板
２７…係合溝                            ２８…係合固定軸
２９…揺動操作ハンドル                  ３１…バネ固定ピン
３２…スプリング                        ３５…移動ハンドル
３６…ハンドル軸                        ４１…ハンドルストッパー
４２…スライド体                        ４３…係合体
４４…牽引スプリング                    ４５Ａ，４５Ｂ…係合溝
４６…立掛ストッパー                    ４７…ストッパー脚
４８…当接脚
【図１】
2007153598.tif 000003
【図２】
2007153598.tif 000004
【図３】
2007153598.tif 000005
【図４】
2007153598.tif 000006
【図５】
2007153598.tif 000007
【図６】
2007153598.tif 000008
【図７】
2007153598.tif 000009
【図８】
2007153598.tif 000010
【図９】
2007153598.tif 000011